(57)【要約】【課題】噴射ノズルにかかる負荷を低減することができ、噴射ノズルの損傷を防止することができる気液混合装置を提供する。【解決手段】噴射ノズルは、洗浄液を導入する洗浄液導入口、洗浄液の流れ方向に直交する方向に沿って気体を導入する気体導入口、及び、洗浄液と気体との混合流体を吐出する吐出口、が形成された第１筒状部と、洗浄液と気体とが合流する合流部よりも洗浄液の流れ方向における上流側に設けられる絞り部と、気体を気体導入口に連通する第２流路に導入する第２気体導入口が形成された第２筒状部と、を備える。気液混合装置は、上記噴射ノズルと、伸縮自在に構成される胴体部を含む伸縮管継手であって、洗浄液を洗浄液導入口から第１流路に送るための洗浄液導入ライン、又は、気体を第２気体導入口から第２流路に送るための気体導入ライン、の少なくとも一方に設けられる伸縮管継手と、を含む。【選択図】  図４
2020093193.tif 000002
【特許請求の範囲】
【請求項１】
燃焼装置から排出される排ガスに洗浄液を気液接触させるように構成される吸収塔における前記洗浄液を貯留するための液だまり部に、酸素を含む気体および前記洗浄液を噴射するように構成される噴射ノズル、を含む気液混合装置であって、
前記噴射ノズルは、
第１流路を内部に画定するとともに、前記洗浄液を前記第１流路に導入するための洗浄液導入口、前記洗浄液導入口から導入されて前記第１流路を流れる前記洗浄液の流れ方向に対して直交する方向に沿って前記気体を前記第１流路に導入するための気体導入口、および、前記洗浄液導入口から導入された前記洗浄液と前記気体導入口から導入された前記気体との混合流体を吐出する吐出口、が形成された第１筒状部と、
前記洗浄液導入口から導入された前記洗浄液と前記気体導入口から導入された前記気体とが合流する合流部よりも前記洗浄液の流れ方向における上流側に設けられる絞り部と、
前記気体導入口に連通する第２流路を内部に画定するとともに、前記洗浄液の流れ方向に対して直交する方向に沿って前記気体を前記第２流路に導入するための第２気体導入口が形成された第２筒状部と、を備え、
前記気液混合装置は、
前記洗浄液又は前記気体を送るための導入流路を内部に画定するとともに、少なくとも前記導入流路の延在する方向に沿って伸縮自在に構成される胴体部を含む伸縮管継手であって、前記洗浄液を前記洗浄液導入口から前記第１流路に送るための洗浄液導入ライン、又は、前記気体を前記第２気体導入口から前記第２流路に送るための気体導入ライン、のうちの少なくとも一方に設けられる伸縮管継手をさらに含む
気液混合装置。
【請求項２】
前記伸縮管継手は、前記洗浄液導入ラインおよび前記気体導入ラインの両方に設けられる
請求項１に記載の気液混合装置。
【請求項３】
前記噴射ノズルは、前記第１筒状部の前記合流部よりも前記洗浄液の流れ方向における上流側の外周から突出して設けられる洗浄液導入側締結部をさらに備え、
前記洗浄液導入ラインに設けられる前記伸縮管継手である第１伸縮管継手は、前記第１伸縮管継手の軸線の延在する方向に交差する方向に沿って前記胴体部の外周から突出して設けられる下流側締結部であって、前記第１伸縮管継手と前記第１筒状部との間に前記絞り部を挟んだ状態で、前記洗浄液導入側締結部に第１締結装置により固定されるように構成される下流側締結部をさらに含む
請求項１又は２に記載の気液混合装置。
【請求項４】
燃焼装置から排出される排ガスを脱硫するための排ガス脱硫装置であって、
内部に導入される前記排ガスに洗浄液を気液接触させるように構成されるとともに、前記洗浄液を貯留するための液だまり部を内部に画定する吸収塔と、
請求項１乃至３の何れか１項に記載の気液混合装置と、を備える
排ガス脱硫装置。
【請求項５】
前記第１筒状部は、前記吐出口の中心軸に沿って延在し、
前記噴射ノズルは、前記第１筒状部の前記合流部よりも前記洗浄液の流れ方向における下流側の外周から前記吐出口の前記中心軸に直交する方向に沿って突出して設けられる吐出口側締結部をさらに含み、
前記吸収塔は、
前記液だまり部の少なくとも一部を画定する側壁であって、前記第１筒状部の前記吐出口を含む先端が挿通される挿通孔が形成された側壁と、
前記吐出口の前記中心軸の水平面からの傾斜角度をθとした際に、水平面から前記傾斜角度θと同じ角度だけ傾斜した方向に沿って、前記側壁の前記挿通孔の周縁部から前記側壁の外側に突出して設けられる筒状突出部と、
前記筒状突出部の先端から前記筒状突出部の延在する方向に直交する方向に沿って突出して設けられる噴射ノズル用締結部であって、前記吐出口側締結部に第２締結装置により固定されるように構成される噴射ノズル用締結部と、をさらに含む
請求項４に記載の排ガス脱硫装置。
【発明の詳細な説明】
【技術分野】
【０００１】
本開示は、燃焼装置から排出される排ガスに洗浄液を接触させる吸収塔における洗浄液を貯留するための液だまり部に、酸素を含む気体および洗浄液を噴射するための気液混合装置、該気液混合装置を備える排ガス脱硫装置に関する。
【背景技術】
【０００２】
例えばボイラなどの燃焼機関から排出される排ガスには、ＳＯｘ（硫黄酸化物）などの大気汚染物質が含まれている。排ガスに含まれるＳＯｘを低減するための方法には、アルカリ水溶液や吸収剤スラリーなどの吸収液でＳＯ２などを吸収除去する湿式の脱硫方法などがある。
【０００３】
上記湿式の脱硫方法を用いる排ガス脱硫装置には、吸収塔内を流れる排ガスに洗浄液を噴霧することで、排ガスと洗浄液とを接触させる気液接触部と、気液接触部の下方に位置し、噴霧後の洗浄液を貯留するための液だまり部と、を内部に画定する吸収塔を備えるものがある（例えば特許文献１参照）。排ガスと洗浄液とが接触することで、排ガスに含まれるＳＯ２が洗浄液に吸収される。ＳＯ２を吸収した洗浄液は液だまり部に貯留される。
【０００４】
液だまり部に貯留された洗浄液には、排ガスから吸収したＳＯ２により生じる亜硫酸塩などの反応生成物が含まれるので、該反応生成物を除去するために、液だまり部に貯留される洗浄液に空気などの酸素を含む気体を行き渡らせて、反応生成物を酸化させることが行われることがある。
【０００５】
特許文献１には、上記酸素を含む気体と洗浄液との混合流体を吐出口から液だまり部に噴射するように構成される噴射ノズル、を含む気液混合装置が開示されている。上記噴射ノズルは、洗浄液の流路の途中に絞り部が設けられており、該絞り部により上記流路を流れる洗浄液を縮流することで負圧領域を発生させる。上記負圧領域に生じる吸引力により、上記流路の絞り部よりも下流側に分岐配管を介して供給される気体が吸引される。また、噴射ノズルは、上記洗浄液の流路を流れる洗浄液によって吸引された気体をせん断、微細化して混合流体（微細気泡を含む洗浄液）を生成するとともに、該混合流体を吐出口から噴射するようになっている。
【０００６】
上記噴射ノズルは、洗浄液（混合流体を含む）が流れる主配管と、主配管に気体を導入するための上記分岐配管（気体導入管）と、を含む。ここで、気体を効率良くせん断、微細化するために、上記分岐配管は、軸線が主配管の軸線方向に直交する方向に沿って延在するように構成され、主配管では、洗浄液の流れ方向に直交する方向に沿って気体が導入される。気液混合装置は、上記噴射ノズルの他に、洗浄液導入ラインと、気体導入ラインと、を備える。洗浄液導入ラインは、主配管に接続される洗浄液導入管を含み、主配管に形成された洗浄液導入口を介して主配管に洗浄液を導入する。気体導入ラインは、分岐配管に接続される気体導入管を含み、分岐配管に形成された気体導入口を介して分岐配管に気体を導入する。
【先行技術文献】
【特許文献】
【０００７】
【特許文献１】特許第５０４６７５５号公報
【発明の概要】
【発明が解決しようとする課題】
【０００８】
噴射ノズルは、洗浄液導入ラインにおける洗浄液導入管などから、主配管の軸線方向に沿って振動や熱による収縮が伝達される。また、噴射ノズルは、気体導入ラインにおける気体導入管などから、主配管の軸線方向に直交する方向に沿って振動や熱による収縮が伝達される。つまり、噴射ノズルは、互いに直交する２方向の夫々から振動や熱による収縮が重畳して伝達されるので、噴射ノズルが摩耗や損傷する虞がある。
【０００９】
上述した事情に鑑みて、本発明の少なくとも一実施形態の目的は、洗浄液導入ラインおよび気体導入ラインの両方から噴射ノズルに対して振動や熱による収縮が伝達され、噴射ノズルが摩耗や損傷することを防止することができる気液混合装置を提供することにある。
【課題を解決するための手段】
【００１０】
（１）本発明の少なくとも一実施形態にかかる気液混合装置は、
燃焼装置から排出される排ガスに洗浄液を気液接触させるように構成される吸収塔における上記洗浄液を貯留するための液だまり部に、酸素を含む気体および上記洗浄液を噴射するように構成される噴射ノズル、を含む気液混合装置であって、
上記噴射ノズルは、
第１流路を内部に画定するとともに、上記洗浄液を上記第１流路に導入するための洗浄液導入口、上記洗浄液導入口から導入されて上記第１流路を流れる上記洗浄液の流れ方向に対して直交する方向に沿って上記気体を上記第１流路に導入するための気体導入口、および、上記洗浄液導入口から導入された上記洗浄液と上記気体導入口から導入された上記気体との混合流体を吐出する吐出口、が形成された第１筒状部と、
上記洗浄液導入口から導入された上記洗浄液と上記気体導入口から導入された上記気体とが合流する合流部よりも上記洗浄液の流れ方向における上流側に設けられる絞り部と、
上記気体導入口に連通する第２流路を内部に画定するとともに、上記洗浄液の流れ方向に対して直交する方向に沿って上記気体を上記第２流路に導入するための第２気体導入口が形成された第２筒状部と、を備え、
上記気液混合装置は、
上記洗浄液又は上記気体を送るための導入流路を内部に画定するとともに、少なくとも上記導入流路の延在する方向に沿って伸縮自在に構成される胴体部を含む伸縮管継手であって、上記洗浄液を上記洗浄液導入口から上記第１流路に送るための洗浄液導入ライン、又は、上記気体を上記第２気体導入口から上記第２流路に送るための気体導入ライン、のうちの少なくとも一方に設けられる伸縮管継手をさらに含む。
【００１１】
上記（１）の構成によれば、気液混合装置は、洗浄液導入ライン、又は気体導入ラインの少なくとも一方に設けられる伸縮管継手と、上記噴射ノズルと、を含む。伸縮管継手は、洗浄液又は気体を送るための導入流路を内部に画定するとともに、導入流路の延在する方向に沿って伸縮自在に構成される胴体部を含む。このような気液混合装置は、伸縮管継手が振動や熱による収縮を吸収するので、洗浄液導入ライン又は気体導入ラインの少なくとも一方から噴射ノズルに対して振動や熱による収縮が伝達されるのを防止することができる。噴射ノズルに対して互いに直交する２方向の夫々から振動や熱による収縮が重畳して伝達されるのを防止することができるので、噴射ノズルの摩耗や損傷を抑制することができる。
【００１２】
（２）幾つかの実施形態では、上記（１）に記載の気液混合装置において、上記伸縮管継手は、上記洗浄液導入ラインおよび上記気体導入ラインの両方に設けられる。
【００１３】
上記（２）の構成によれば、伸縮管継手が洗浄液導入ラインおよび気体導入ラインの両方に設けられるので、洗浄液導入ラインおよび気体導入ラインの両方から噴射ノズルに対して振動や熱による収縮が伝達されるのを防止することができる。上記の構成によれば、洗浄液導入ライン又は気体導入ラインの少なくとも一方に伸縮管継手を設ける場合に比べて、噴射ノズルに対して互いに直交する２方向の夫々から振動や熱による収縮が重畳して伝達されるのをより確実に防止することができる。
【００１４】
（３）幾つかの実施形態では、上記（１）又は（２）に記載の気液混合装置において、上記噴射ノズルは、上記第１筒状部の上記合流部よりも上記洗浄液の流れ方向における上流側の外周から突出して設けられる洗浄液導入側締結部をさらに備え、
上記洗浄液導入ラインに設けられる上記伸縮管継手である第１伸縮管継手は、上記第１伸縮管継手の軸線の延在する方向に交差する方向に沿って上記胴体部の外周から突出して設けられる下流側締結部であって、上記第１伸縮管継手と上記第１筒状部との間に上記絞り部を挟んだ状態で、上記洗浄液導入側締結部に第１締結装置により固定されるように構成される下流側締結部をさらに含む。
【００１５】
上記（３）の構成によれば、第１伸縮管継手の下流側締結部は、第１伸縮管継手と第１筒状部との間に絞り部を挟んだ状態で、噴射ノズルの洗浄液導入側締結部に第１締結装置により固定される。
【００１６】
（４）本発明の少なくとも一実施形態にかかる排ガス脱硫装置は、
燃焼装置から排出される排ガスを脱硫するための排ガス脱硫装置であって、
内部に導入される上記排ガスに洗浄液を気液接触させるように構成されるとともに、上記洗浄液を貯留するための液だまり部を内部に画定する吸収塔と、
上記（１）〜（３）の何れかに記載の気液混合装置と、を備える。
【００１７】
上記（４）の構成によれば、吸収塔は、内部に導入される排ガスの洗浄液を気液接触させるように構成され、且つ、洗浄液を貯留するための液だまり部を内部に画定している。気液混合装置は、噴射ノズルの吐出口から吸収塔の液だまり部に吐出される混合流体により、吸収塔の液だまり部に貯留される洗浄液に対して十分な酸化反応を生じさせることができる。また、上記の構成によれば、噴射ノズルに対して互いに直交する２方向の夫々から振動や熱による収縮が重畳して伝達されるのを防止することができるので、噴射ノズルの摩耗や損傷を抑制することができる。
【００１８】
（５）幾つかの実施形態では、上記（４）に記載の排ガス脱硫装置において、上記第１筒状部は、上記吐出口の中心軸に沿って延在し、上記噴射ノズルは、上記第１筒状部の上記合流部よりも上記洗浄液の流れ方向における下流側の外周から上記吐出口の上記中心軸に直交する方向に沿って突出して設けられる吐出口側締結部をさらに含み、上記吸収塔は、上記液だまり部の少なくとも一部を画定する側壁であって、上記第１筒状部の上記吐出口を含む先端が挿通される挿通孔が形成された側壁と、上記吐出口の上記中心軸の水平面からの傾斜角度をθとした際に、水平面から上記傾斜角度θと同じ角度だけ傾斜した方向に沿って、上記側壁の上記挿通孔の周縁部から上記側壁の外側に突出して設けられる筒状突出部と、上記筒状突出部の先端から上記筒状突出部の延在する方向に直交する方向に沿って突出して設けられる噴射ノズル用締結部であって、上記吐出口側締結部に第２締結装置により固定されるように構成される噴射ノズル用締結部と、をさらに含む。
【００１９】
上記（５）の構成によれば、吸収塔の側壁に形成された挿通孔に第１筒状部の吐出口を含む先端を挿通した状態で、気液混合装置の吐出口側締結部が吸収塔の噴射ノズル用締結部に第２締結装置により固定される。噴射ノズルは、吸収塔に固定されているので、仮に洗浄液導入ラインおよび気体導入ラインの両方から噴射ノズルに対して振動や熱による収縮が伝達したとしても、噴射ノズルの吐出口の位置や角度がずれて、噴射ノズルから噴射される混合流体による洗浄液の酸化反応が低減することを防止することができる。
【００２０】
また、上記の構成によれば、第１筒状部は、吐出口の中心軸に沿って延在している。吸収塔の筒状突出部は、吐出口の中心軸の水平面からの傾斜角度θと同じ角度だけ水平面から傾斜した方向に沿って延在している。つまり、吸収塔の筒状突出部は、第１筒状部が設置された際の吐出口の中心軸と同じ方向に沿って延在している。第１筒状部は、第１筒状部の延在する方向に直交する方向に沿って延在する吐出口側締結部と、筒状突出部の延在する方向に直交する方向に沿って延在する噴射ノズル用締結部と、を第２締結装置により固定することで、吐出口の中心軸の水平面からの傾斜角度θをそのまま設置角度とすることができる。よって、上記の構成によれば、第１筒状部の設置角度の調整作業をなくし、第１筒状部の取付け作業を容易にすることができる。
【発明の効果】
【００２１】
本発明の少なくとも一実施形態によれば、洗浄液導入ラインおよび気体導入ラインの両方から噴射ノズルに対して振動や熱による収縮が伝達され、噴射ノズルが摩耗や損傷することを防止することができる気液混合装置が提供される。
【図面の簡単な説明】
【００２２】
【図１】一実施形態にかかる排ガス脱硫装置の概略構成を示す断面図である。
【図２】一実施形態における噴射ノズルの機能を説明するための噴射ノズルの概略断面図である。
【図３】一実施形態における噴射ノズルの概略構成を示す断面図である。
【図４】吸収塔における噴射ノズルが固定される部分近傍を概略的に示す図であって、第１伸縮管継手および第２伸縮管継手を説明するための図である。
【図５】吸収塔における噴射ノズルが固定される部分近傍を概略的に示す部分断面図である。
【発明を実施するための形態】
【００２３】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
なお、同様の構成については同じ符号を付し説明を省略することがある。
【００２４】
図１は、一実施形態にかかる排ガス脱硫装置の概略構成を示す断面図である。排ガス脱硫装置は、燃焼装置から排出される排ガスを脱硫するための装置である。上記燃焼装置としては、ディーゼルエンジン、ガスタービンエンジン又は蒸気タービンエンジンなどのエンジンやボイラなどが挙げられる。図１に示されるように、排ガス脱硫装置１は、吸収塔２と、気液混合装置４と、を備える。
【００２５】
吸収塔２は、内部に導入される排ガスに洗浄液を気液接触させるように構成される。図示される実施形態では、吸収塔２は、図１に示されるように、内部に導入される排ガスに洗浄液を噴霧することで、排ガスと洗浄液とを気液接触させるように構成される気液接触部２１Ａ、および気液接触部よりも下方に位置し、気液接触部２１Ａで排ガス中のＳＯｘを吸収した洗浄液が貯留される液だまり部２１Ｂ、を内部に画定するように構成される。ここで、洗浄液としては、アルカリ剤を含む液体や海水などが挙げられる。また、アルカリ剤としては、ＣａＣＯ３、ＮａＯＨ、Ｃａ（ＯＨ）２、ＮａＨＣＯ３、Ｎａ２ＣＯ３などが挙げられ、高濃度に減容化されたアルカリを用いることもできる。
【００２６】
より詳細には、吸収塔２は、図１に示されるように、上述した気液接触部２１Ａおよび上述した液だまり部２１Ｂを含む内部空間２１を内部に画定する吸収塔本体部２２と、吸収塔本体部２２に排ガスを導入するための排ガス導入部２３と、吸収塔本体部２２から排ガスを排出するための排ガス排出部２４と、を備える。図１に示されるように、吸収塔本体部２２と排ガス導入部２３とが隣接する方向を第１方向、第１方向における排ガス導入部２３側を一方側、第１方向における排ガス排出部２４側を他方側、と定義する。
【００２７】
図１に示されるように、吸収塔本体部２２の上記第１方向における一方側の側壁である第１側壁２５には、内部空間２１（下方側内部空間２１Ｃ）と連通する排ガス導入口２５１が形成されている。吸収塔本体部２２の上記第１方向における他方側の側壁である第２側壁２６には、排ガス導入口２５１よりも高い位置に、内部空間２１（上方側内部空間２１Ｄ）と連通する排ガス排出口２６１が形成されている。第１側壁２５および第２側壁２６の夫々は、上面視において第１方向に直交する第２方向に沿って延在するとともに、液だまり部２１Ｂを含む内部空間２１の少なくとも一部を画定している。
【００２８】
燃焼装置（不図示）から排ガス導入部２３に導入された排ガスは、排ガス導入部２３を通過した後、排ガス導入口２５１を介して内部空間２１（下方側内部空間２１Ｃ）に導入される。内部空間２１に導入された排ガスは、下方側内部空間２１Ｃを一方側に位置する第１側壁２５から他方側に位置する第２側壁２６に向かって流れた後、内部空間２１を上昇しながら流れていく。上方側内部空間２１Ｄまで上昇した排ガスは、第１側壁２５から第２側壁２６に向かって流れた後、排ガス排出口２６１を介して排ガス排出部２４に排出される。
【００２９】
図１に示されるように、吸収塔本体部２２の下方側内部空間２１Ｃよりも上方、且つ、上方側内部空間２１Ｄよりも下方に位置する気液接触部２１Ａには、内部空間２１に上述した洗浄液を散布するための散布装置２８が配置されている。散布装置２８は、気液接触部２１Ａを通過する排ガスに対して洗浄液を散布し、排ガスと洗浄液とを気液接触させることで、排ガス中に含まれるＳＯｘ（ＳＯ２を含む）を吸収除去するように構成される。
【００３０】
散布装置２８は、図１に示されるように、吸収塔本体部２２の内部空間２１において上記第１方向に沿って延在する散水管２８１と、散水管２８１に設けられた複数の散水ノズル２８２と、を含む。散水ノズル２８２は、排ガスの流れ方向における下流側に向かって、すなわち、鉛直方向における上方に向かって、洗浄液を散布するように構成される。図示される実施形態では、散水ノズル２８２は、洗浄液を液柱状に噴射するようになっている。つまり、図示される吸収塔２は、液柱式の吸収塔である。
【００３１】
なお、吸収塔２は、内部に導入される排ガスに洗浄液を気液接触させるように構成されていればよく、上述した液柱式に限定されない。例えば、吸収塔２は、内部空間２１に気液接触を促進させるための充填材が充填される充填層を備えるグリッド式の吸収塔や、洗浄液を放射状に噴霧する散水ノズル２８２を備えるスプレー式の吸収塔などであってもよい。また、散水管２８１は、上面視において上記第１方向に直交する方向に沿って延在してもよい。また、散水ノズル２８２は、鉛直方向における下方に向かって、洗浄液を散布するように構成されていてもよい。
【００３２】
気液接触部２１Ａを通過した排ガスには、水分が多く含まれる。気液接触部２１Ａよりも排ガスの流れ方向における下流側には、ミストエリミネータ２７が配置されている。ミストエリミネータ２７は、ミストエリミネータ２７を通過する排ガスから水分を除去するように構成される。ミストエリミネータ２７を通過した排ガスは、吸収塔２の外部に排出される。
【００３３】
図示される実施形態では、ミストエリミネータ２７は、排ガス排出部２４に配置され、排ガス排出部２４に排ガスの流れ方向における上流側と下流側とを隔てるように、鉛直方向に沿って延在している。なお、ミストエリミネータ２７は、上方側内部空間２１Ｄに配置されて、水平方向に沿って延在してもよい。また、ミストエリミネータ２７は、多段構成であってもよい。
【００３４】
液だまり部２１Ｂは、内部空間２１に導かれた排ガスに対して散布された散布済みの洗浄液が貯留されるように構成される。図示される実施形態では、液だまり部２１Ｂは、下方側内部空間２１Ｃの下方、且つ排ガス導入口２５１よりも低い位置に、液面が位置するように設けられる。液だまり部２１Ｂに貯留される洗浄液には、排ガスから吸収したＳＯｘにより生じた反応生成物が含まれる。ここで、反応生成物としては、ＳＯ２が洗浄液に吸収されることで生成される亜硫酸塩などが挙げられる。
【００３５】
図１に示されるように、第２側壁２６には、鉛直方向における液だまり部２１Ｂの底面２１１近傍の位置に、液だまり部２１Ｂに貯留される洗浄液を外部に抜き出すための洗浄液抜出口２６２が開口している。洗浄液抜出口２６２は、液だまり部２１Ｂに連通している。
【００３６】
図示される実施形態では、排ガス脱硫装置１は、図１に示されるように、液だまり部２１Ｂに貯留された洗浄液を散布装置２８に送るように構成される洗浄液循環ライン７と、吸収塔２の外部から液だまり部２１Ｂに洗浄液を供給するように構成される洗浄液供給ライン８と、をさらに備える。
【００３７】
洗浄液循環ライン７は、上述した洗浄液抜出口２６２および上述した散水管２８１を接続する少なくとも一つの配管７１と、洗浄液循環ライン７の途中に設けられる、洗浄液抜出口２６２から散水管２８１に洗浄液を送るための洗浄液循環ポンプ７２と、を含む。つまり、散布装置２８から散布されて液だまり部２１Ｂに貯留された洗浄液の少なくとも一部は、洗浄液循環ポンプ７２により圧送されて、洗浄液循環ライン７を通り、散布装置２８に送られる。
【００３８】
洗浄液供給ライン８は、吸収塔２の外部に設けられる洗浄液貯留タンク８１と、洗浄液貯留タンク８１と液だまり部２１Ｂとを接続する少なくとも一つの配管８２と、を含む。洗浄液は、洗浄液貯留タンク８１から液だまり部２１Ｂに、洗浄液供給ライン８を通って送られる。
【００３９】
気液混合装置４は、図１に示されるように、例えば空気などの酸素を含む気体と洗浄液との混合流体ＭＦを吸収塔２の液だまり部２１Ｂに噴射するように構成される噴射ノズル５と、噴射ノズル５に洗浄液を送るように構成される洗浄液導入ライン４１と、噴射ノズル５に酸素を含む気体を送るように構成される気体導入ライン４２と、を含む。気液混合装置４は、噴射ノズル５から液だまり部２１Ｂに混合流体ＭＦを噴射し、液だまり部２１Ｂに貯留される洗浄液に混合流体ＭＦを行き渡らせることで、混合流体ＭＦにより上記反応生成物を酸化させて、酸化生成物を生成する。酸化生成物としては、石膏などが挙げられる。
【００４０】
図示される実施形態では、排ガス脱硫装置１は、図１に示されるように、液だまり部２１Ｂに貯留される酸化生成物（石膏）を含む洗浄液を排出するように構成される洗浄液排出ライン９をさらに備える。図１に示される実施形態では、洗浄液排出ライン９は、液だまり部２１Ｂに接続される洗浄液循環ライン７を介して洗浄液を排出するように構成される。より詳細には、洗浄液排出ライン９は、洗浄液循環ライン７の分岐部７３から分岐し、吸収塔２の外部に設けられる装置９１に接続されており、洗浄液循環ライン７の分岐部７３から装置９１に酸化生成物を含む洗浄液を送るようになっている。装置９１としては、酸化生成物を含む洗浄液から水分を脱水する脱水機（分離機）や洗浄液を一時的に貯留するための貯留タンクなどが挙げられる。
【００４１】
図１に示される実施形態では、洗浄液導入ライン４１は、分岐部７３よりも洗浄液の流れ方向における下流側に位置する分岐部４４で、洗浄液循環ライン７から分岐している。上述した洗浄液循環ポンプ７２は、洗浄液の一部を洗浄液抜出口２６２から分岐部４４を介して噴射ノズル５に送るようになっている。
【００４２】
図示される実施形態では、気体導入ライン４２は、噴射ノズル５に一端が接続され、他端が液だまり部２１Ｂの液面よりも上方の位置で大気開放している。
【００４３】
図２は、一実施形態における噴射ノズルの機能を説明するための噴射ノズルの概略断面図である。図３は、一実施形態における噴射ノズルの概略構成を示す断面図である。噴射ノズル５は、図２、３に示されるように、第１筒状部５２と、絞り部５３と、第２筒状部５４と、を含む。
【００４４】
第１筒状部５２は、図２、３に示されるように、第１流路５５を内部に画定する筒状に形成されている。第１筒状部５２には、洗浄液を第１流路５５に導入するための洗浄液導入口５６、洗浄液導入口５６から導入されて第１流路５５を流れる洗浄液の流れ方向に対して直交する方向に沿って上記気体を第１流路５５に導入するための気体導入口５７および上述した吐出口５１が形成されている。吐出口５１は、洗浄液導入口５６から導入された洗浄液と、気体導入口５７から導入された気体と、の混合流体ＭＦを吐出するために設けられている。
【００４５】
図２、３に示される実施形態では、第１筒状部５２は、吐出口５１の中心軸ＣＡの延在する方向に沿って長さ方向を有している。第１筒状部５２の長さ方向における一端に上述した洗浄液導入口５６が開口し、第１筒状部５２の長さ方向における他端に気体導入口５７が開口している。第１筒状部５２の外周には、上述した気体導入口５７が開口している。洗浄液導入ライン４１から洗浄液導入口５６を介して第１流路５５内に送られた洗浄液は、第１流路５５を中心軸ＣＡの延在する方向に沿った方向に、洗浄液導入口５６から吐出口５１に向かって流れる。
【００４６】
第２筒状部５４は、図２、３に示されるように、気体導入口５７に連通する第２流路５８を内部に画定するとともに、気体導入口５７における気体の導入方向（洗浄液の流れ方向に対して直交する方向）に沿って延在し、気体を第２流路５８に導入するための第２気体導入口５９が形成されている。
【００４７】
図２、３に示される実施形態では、第２筒状部５４は、気体導入口５７の中心軸ＣＡ２の延在する方向、すなわち、吐出口５１の中心軸ＣＡの延在する方向に直交する方向に沿って長さ方向を有している。第２筒状部５４の長さ方向における一端は、第１筒状部５２の外周に一体的に接続されている。つまり、第１筒状部５２と第２筒状部５４は、一体的に形成されている。第２筒状部５４の長さ方向における他端に上述した第２気体導入口５９が開口している。気体導入ライン４２から第２気体導入口５９を介して第２流路５８内に送られた気体は、第２流路５８を通った後、気体導入口５７を介して第１流路５５内に送られる。第１流路５５内に送られた気体は、合流部６０において洗浄液と合流する。
【００４８】
絞り部５３は、図２、３に示されるように、合流部６０よりも洗浄液の流れ方向における上流側に設けられている。絞り部５３は、内部を洗浄液が流れるとともに、洗浄液の流れ方向における上流側および下流側に比べて、断面積が急激に縮小する縮流形成口６１が開口している。絞り部５３は、縮流形成口６１により洗浄液を縮流することで、絞り部５３よりも洗浄液の流れ方向における下流側に負圧領域６２（図２参照）を発生させるように構成される。噴射ノズル５は、負圧領域６２に生じる吸引力により、気体導入口５７から気体を吸引する。なお、上記吸引力のみでは第１流路５５に送られる気体の量が不足する場合には、第１流路５５に気体を送るための不図示のポンプを気体導入ライン４２に設け、該ポンプにより第１流路５５に送られる気体の量を増量してもよい。
【００４９】
図２、３に示される実施形態では、絞り部５３は、第１筒状部５２とは別体に構成されている。他の実施形態では、絞り部５３は、第１筒状部５２と一体的に形成されていてもよい。例えば、絞り部５３は、第１筒状部５２の第１流路５５を区画する内周面から突出して設けられていてもよい。
【００５０】
噴射ノズル５は、第１流路５５を流れる洗浄液によって、第１流路５５に送られた気体をせん断、微細化して混合流体ＭＦ（微細気泡を内部に含む洗浄液）を生成する。また、噴射ノズル５は、噴射ノズル５内で生成された混合流体ＭＦを吐出口５１から噴射するようになっている。
【００５１】
図４は、吸収塔における噴射ノズルが固定される部分近傍を概略的に示す図であって、第１伸縮管継手および第２伸縮管継手を説明するための図である。
【００５２】
幾つかの実施形態では、上述した気液混合装置４は、図２、３に示されるように、上述した第１筒状部５２、上述した絞り部５３、および上述した第２筒状部５４を含む噴射ノズル５を備える。そして、上述した気液混合装置４は、図４に示されるような、上述した洗浄液導入ライン４１、又は上述した気体導入ライン４２のうちの少なくとも一方に設けられる伸縮管継手４５をさらに備える。
【００５３】
伸縮管継手４５は、図４に示されるように、洗浄液又は気体を送るための導入流路４５５を内部に画定するとともに、少なくとも導入流路４５５の延在する方向に沿って伸縮自在に構成される胴体部４５１を含む。
【００５４】
図示される実施形態では、伸縮管継手４５は、図４に示されるように、導入流路４５５および胴体部４５１が軸線ＣＥ１、ＣＥ２の延在する方向に沿って延在している。そして、伸縮管継手４５は、胴体部４５１の延在方向における一方の端部（下流側の端部）の外周から、胴体部４５１の延在方向に直交する方向に沿って突出して設けられる下流側締結部４５３と、胴体部４５１の延在方向における他方の端部（上流側の端部）の外周から、胴体部４５１の延在方向に直交する方向に沿って突出して設けられる上流側締結部４５４と、を含む。伸縮管継手４５は、胴体部４５１の途中に伸縮性や曲折性を有するベローズ４５２が設けられている。胴体部４５１にベローズ４５２が設けられた伸縮管継手４５は、導入流路４５５の延在する方向に沿って伸縮自在であるとともに、導入流路４５５の延在する方向に直交する方向に沿って伸縮自在である。
【００５５】
上記の構成によれば、気液混合装置４は、洗浄液導入ライン４１、又は気体導入ライン４２の少なくとも一方に設けられる伸縮管継手４５と、上記噴射ノズル５と、を備える。伸縮管継手４５は、洗浄液又は気体を送るための導入流路４５５を内部に画定するとともに、少なくとも導入流路４５５の延在する方向に沿って伸縮自在に構成される胴体部４５１を含む。このような気液混合装置４は、伸縮管継手４５が振動や熱による収縮を吸収するので、洗浄液導入ライン４１又は気体導入ライン４２の少なくとも一方から噴射ノズル５に対して振動や熱による収縮が伝達されるのを防止することができる。噴射ノズル５に対して互いに直交する２方向（中心軸ＣＡの延在する方向、中心軸ＣＡ２の延在する方向）の夫々から振動や熱による収縮が重畳して伝達されるのを防止することができるので、噴射ノズル５の摩耗や損傷を抑制することができる。
また、上記の構成によれば、洗浄液導入ライン４１から伸縮管継手４５を取り外すことで、洗浄液導入ライン４１の伸縮管継手４５よりも上流側の配管を取り外すことなく、絞り部５３の点検作業を実行可能であるため、上記点検作業を迅速に行うことが可能になる。
【００５６】
幾つかの実施形態では、図４に示されるように、上述した伸縮管継手４５は、洗浄液導入ライン４１および気体導入ライン４２の両方に設けられる。換言すると、上述した伸縮管継手４５は、洗浄液導入ライン４１に設けられる第１伸縮管継手４５Ａと、気体導入ラインに設けられる第２伸縮管継手４５Ｂと、を含む。この場合には、伸縮管継手４５が洗浄液導入ライン４１および気体導入ライン４２の両方に設けられるので、洗浄液導入ライン４１および気体導入ライン４２の両方から噴射ノズル５に対して振動や熱による収縮が伝達されるのを防止することができる。上記の構成によれば、洗浄液導入ライン４１又は気体導入ライン４２の少なくとも一方に伸縮管継手４５を設ける場合に比べて、噴射ノズル５に対して互いに直交する２方向の夫々から振動や熱による収縮が重畳して伝達されるのをより確実に防止することができる。また、第１伸縮管継手４５Ａを洗浄液導入ライン４１から取り外すとともに、第２伸縮管継手４５Ｂを気体導入ライン４２から取り外すことで、噴射ノズル５を吸収塔２から取り外す作業を迅速に行うことが可能になる。
【００５７】
図５は、吸収塔における噴射ノズルが固定される部分近傍を概略的に示す部分断面図である。以下、図５に基づいて、噴射ノズル５の取付方法を説明する。
【００５８】
まず、第１側壁２５を貫通するように形成された挿通孔２５２に、噴射ノズル５の吐出口５１が形成された第１筒状部５２の先端を挿通する。
【００５９】
噴射ノズル５は、図５に示されるように、吐出口側締結部６３を含む。第１筒状部５２は、吐出口５１の中心軸ＣＡに沿って延在しており、延在方向における一端に吐出口５１が形成されている。吐出口側締結部６３は、第１筒状部５２の外周から吐出口５１の中心軸ＣＡに直交する方向に沿って突出して設けられている。吐出口側締結部６３は、第１筒状部５２の、第２筒状部５４との接続部や合流部６０よりも洗浄液の流れ方向における下流側の外周に設けられている。
【００６０】
吸収塔２は、図５に示されるように、筒状突出部２９と、噴射ノズル用締結部３０と、をさらに含む。筒状突出部２９は、図５に示されるように、吐出口５１の中心軸ＣＡの水平面からの傾斜角度をθとした際に、水平面から傾斜角度θだけ傾斜した方向に沿って、第１側壁２５の挿通孔２５２の周縁部から外側に突出して設けられている。噴射ノズル用締結部３０は、筒状突出部２９の先端から筒状突出部２９の延在する方向に直交する方向に沿って突出して設けられている。
【００６１】
次に、第１側壁２５に噴射ノズル５を固定する。噴射ノズル５の吐出口側締結部６３は、吸収塔２の噴射ノズル用締結部３０に締結装置６６（６６Ａ）により固定される。図示される実施形態では、締結装置６６Ａ（第２締結装置）は、ボルト６７（６７Ａ）と、ナット６８（６８Ａ）と、を含む。
【００６２】
ボルト６７（６７Ａ）は、少なくとも外周面の一部にねじ部が形成された軸部６７１と、軸部６７１の基端部において軸部６７１よりも大径に形成された頭部６７２と、を備える。吐出口側締結部６３と噴射ノズル用締結部３０には、筒状突出部２９の延在する方向に沿ってボルト６７Ａの軸部６７１が挿通可能な貫通孔６３１、３０１が形成されている。ボルト６７Ａは、筒状突出部２９の延在する方向における一方側から、吐出口側締結部６３および噴射ノズル用締結部３０に形成された貫通孔６３１、３０１に軸部６７１が挿通され、筒状突出部２９の延在する方向における他方側に挿通した軸部６７１の先端が、ナット６８Ａに螺合することで、第１側壁２５に噴射ノズル５を固定する。
【００６３】
第１側壁２５に噴射ノズル５を固定した後に、噴射ノズル５に気体導入ライン４２を接続する。図示される実施形態では、噴射ノズル５は、図５に示されるように、第２筒状部５４の、第２気体導入口５９が形成された端部の外周から突出して設けられる気体導入側締結部６４をさらに含む。気体導入ライン４２は、図４に示されるように、第２筒状部５４の上流側に接続される気体導入管４７と、気体導入管４７の上流側に接続される上述した第２伸縮管継手４５Ｂと、第２伸縮管継手４５Ｂの上流側に接続される第２気体導入管４９と、を含む。
【００６４】
気体導入管４７は、図４に示されるように、第２気体導入口５９に連通する開口が形成された下流側の端部の外周から突出して設けられる気体下流側締結部４８（図５参照）と、上流側の端部の外周から突出して設けられる気体上流側締結部４７２と、を含む。第２気体導入管４９は、下流側の端部の外周から突出して設けられる第２気体下流側締結部４９１を含む。
【００６５】
気体導入管４７の気体下流側締結部４８は、噴射ノズル５の気体導入側締結部６４に締結装置６６（６６Ｂ）により固定される。図示される実施形態では、締結装置６６Ｂは、ボルト６７Ａと同様の構成を備えるボルト６７Ｂと、ナット６８Ａと同様の構成を備えるナット６８Ｂと、を含む。ボルト６７Ｂは、気体導入側締結部６４および気体下流側締結部４８に形成された貫通孔６４１、４８１に挿通された軸部６７１の先端にナット６８Ｂが螺合することで、噴射ノズル５の第２筒状部５４に気体導入管４７を固定する。
【００６６】
図４に示されるように、第２伸縮管継手４５Ｂは、下流側締結部４５３（４５３Ｂ）が気体導入管４７の気体上流側締結部４７２に締結装置６６（６６Ｅ）により固定され、上流側締結部４５４（４５４Ｂ）が第２気体導入管４９の第２気体下流側締結部４９１に締結装置６６（６６Ｆ）により固定される。図示される実施形態では、締結装置６６Ｅ、６６Ｆは、締結装置６６Ｂと同様に、ボルトとナットとを含んでいる。
【００６７】
第１側壁２５に噴射ノズル５を固定した後に、噴射ノズル５に洗浄液導入ライン４１を接続する。洗浄液導入ライン４１と噴射ノズル５との接続は、気体導入ライン４２と噴射ノズル５との接続と同時に行ってもよいし、気体導入ライン４２と噴射ノズル５との接続よりも前や後に行ってもよい。
【００６８】
噴射ノズル５は、図５に示されるように、第１筒状部５２の、洗浄液導入口５６が形成された端部の外周から突出して設けられる洗浄液導入側締結部６５をさらに含む。図４に示されるように、洗浄液導入ライン４１は、第１筒状部５２の上流側に接続される上述した第１伸縮管継手４５Ａと、第１伸縮管継手４５Ａの上流側に接続される洗浄液導入管４６と、を含む。洗浄液導入管４６は、下流側の端部の外周から突出して設けられる洗浄液下流側締結部４６１を含む。
【００６９】
図５に示されるように、第１伸縮管継手４５Ａは、下流側締結部４５３（４５３Ａ）が噴射ノズル５の洗浄液導入側締結部６５に締結装置６６Ｃ（第１締結装置）により固定される。図示される実施形態では、締結装置６６Ｃは、ボルト６７Ａと同様の構成を備えるボルト６７Ｃと、ナット６８Ａと同様の構成を備えるナット６８Ｃと、を含む。ボルト６７Ｃは、洗浄液導入側締結部６５および下流側締結部４５３（４５３Ａ）に形成された貫通孔６５１、４５６に挿通された軸部６７１の先端にナット６８Ｃが螺合することで、第１筒状部５２と第１伸縮管継手４５Ａとの間に絞り部５３を挟んだ状態で、噴射ノズル５の第１筒状部５２に第１伸縮管継手４５Ａを固定する。
【００７０】
図４に示されるように、第１伸縮管継手４５Ａは、上流側締結部４５４（４５４Ａ）が洗浄液導入管４６の洗浄液下流側締結部４６１に締結装置６６（６６Ｄ）により固定される。図示される実施形態では、締結装置６６Ｄは、締結装置６６Ｃと同様に、ボルトとナットとを含んでいる。
【００７１】
図示される実施形態では、図４に示されるように、吐出口５１の中心軸ＣＡの水平面からの傾斜角度をθ、第１伸縮管継手４５Ａの軸線ＣＥ１の水平面からの傾斜角度をθ１とした場合に、傾斜角度θ１は、θ±５°の範囲内である。つまり、第１伸縮管継手４５Ａの軸線ＣＥ１は、吐出口５１の中心軸ＣＡに平行な方向に沿って延在している。この場合には、第１伸縮管継手４５Ａから第１筒状部５２に洗浄液を送る際の抵抗を少なくすることができる。なお、他の実施形態では、上述したθ１は、上述したθ±５°の範囲外であってもよい。
また、図示される実施形態では、図４に示されるように、第２伸縮管継手４５Ｂは、第１伸縮管継手４５Ａよりも上方に位置している。
【００７２】
上述したように、幾つかの実施形態では、図５に示されるように、上述した噴射ノズル５は、第１筒状部５２の、第２筒状部５４との接続部や合流部６０よりも洗浄液の流れ方向における上流側の、洗浄液導入口５６が形成された端部の外周から突出して設けられる上述した洗浄液導入側締結部６５を備える。上述した第１伸縮管継手４５Ａは、上記第１伸縮管継手４５Ａの軸線ＣＥ１の延在する方向に交差する方向に沿って胴体部４５１の端部の外周から突出して設けられる上述した下流側締結部４５３Ａを含む。下流側締結部４５３Ａは、第１伸縮管継手４５Ａと第１筒状部５２との間に絞り部５３を挟んだ状態で、下流側締結部４５３Ａに締結装置６６Ｃ（第１締結装置）により固定されるように構成されている。
【００７３】
上記の構成によれば、第１伸縮管継手４５Ａの下流側締結部４５３Ａは、第１伸縮管継手４５Ａと第１筒状部５２との間に絞り部５３を挟んだ状態で、噴射ノズル５の洗浄液導入側締結部６５に締結装置６６Ｃ（第１締結装置）により固定される。第１伸縮管継手４５Ａは、噴射ノズル５に直接固定されるので、洗浄液導入ライン４１からの振動や熱による収縮を効果的に吸収することができる。
【００７４】
幾つかの実施形態にかかる排ガス脱硫装置１は、上述した吸収塔２と、上述した気液混合装置４と、を備える。上記の構成によれば、吸収塔２は、内部に導入される排ガスに洗浄液を気液接触させるように構成され、且つ、洗浄液を貯留するための液だまり部２１Ｂを内部に画定している。気液混合装置４は、噴射ノズル５の吐出口５１から吸収塔２の液だまり部２１Ｂに吐出される混合流体ＭＦにより、吸収塔２の液だまり部２１Ｂに貯留される洗浄液に対して十分な酸化反応を生じさせることができる。また、上記の構成によれば、噴射ノズル５に対して互いに直交する２方向の夫々から振動や熱による収縮が重畳して伝達されるのを防止することができるので、噴射ノズル５の摩耗や損傷を抑制することができる。
【００７５】
幾つかの実施形態では、上述した噴射ノズル５（気液混合装置４）は、上述した第１筒状部５２と、上述した吐出口側締結部６３と、を含む。そして、上述した吸収塔２は、上述した筒状突出部２９と、上述した噴射ノズル用締結部３０と、を含む。
【００７６】
上記の構成によれば、吸収塔２の側壁（第１側壁２５など）に形成された挿通孔２５２に第１筒状部５２の吐出口５１を含む先端を挿通した状態で、噴射ノズル５（気液混合装置４）の吐出口側締結部６３が吸収塔２の噴射ノズル用締結部３０に締結装置６６Ａ（第２締結装置）により固定される。噴射ノズル５は、吸収塔２に固定されているので、仮に洗浄液導入ライン４１および気体導入ライン４２の両方から噴射ノズル５に対して振動や熱による収縮が伝達したとしても、噴射ノズル５の吐出口５１の位置や角度がずれて、噴射ノズル５から噴射される混合流体ＭＦによる洗浄液の酸化反応が低減することを防止することができる。
【００７７】
また、上記の構成によれば、第１筒状部５２は、吐出口５１の中心軸ＣＡに沿って延在している。吸収塔２の筒状突出部２９は、吐出口５１の中心軸ＣＡの水平面からの傾斜角度θと同じ角度だけ水平面から傾斜した方向に沿って延在している。つまり、吸収塔２の筒状突出部２９は、第１筒状部５２が設置された際の吐出口５１の中心軸ＣＡと同じ方向に沿って延在する。第１筒状部５２は、第１筒状部５２の延在する方向に直交する方向に沿って延在する吐出口側締結部６３と、筒状突出部２９の延在する方向に直交する方向に沿って延在する噴射ノズル用締結部３０と、を締結装置６６Ａにより固定することで、吐出口５１の中心軸ＣＡの水平面からの傾斜角度θをそのまま設置角度とすることができる。よって、上記の構成によれば、第１筒状部５２の設置角度の調整作業をなくし、第１筒状部５２の取付け作業を容易にすることができる。
【００７８】
本発明は上述した実施形態に限定されることはなく、上述した実施形態に変形を加えた形態や、これらの形態を適宜組み合わせた形態も含む。
【００７９】
例えば、上述した幾つかの実施形態では、排ガス排出部２４は、第１方向において、吸収塔本体部２２を挟んで排ガス導入部２３とは反対側に設けられていたが、排ガス導入部２３と同じ側に設けられていてもよい。また、排ガス排出部２４は、上面視において第１方向に直交する第２方向において、吸収塔本体部２２に隣接するように設けられていてもよい。
【符号の説明】
【００８０】
１          排ガス脱硫装置
２          吸収塔
２１        内部空間
２１１      底面
２１Ａ      気液接触部
２１Ｂ      液だまり部
２１Ｃ      下方側内部空間
２１Ｄ      上方側内部空間
２２        吸収塔本体部
２３        排ガス導入部
２４        排ガス排出部
２５        第１側壁
２５１      排ガス導入口
２５２      挿通孔
２６        第２側壁
２６１      排ガス排出口
２６２      抜出口
２７        ミストエリミネータ
２８        散布装置
２８１      散水管
２８２      散水ノズル
２９        筒状突出部
３０        噴射ノズル用締結部
３０１      貫通孔
４          気液混合装置
４１        洗浄液導入ライン
４２        気体導入ライン
４４        分岐部
４５        伸縮管継手
４５Ａ      第１伸縮管継手
４５Ｂ      第２伸縮管継手
４５１      胴体部
４５２      ベローズ
４５３，４５３Ａ，４５３Ｂ      下流側締結部
４５４，４５４Ａ，４５４Ｂ      上流側締結部
４５５      導入流路
４５６      貫通孔
４６        洗浄液導入管
４６１      洗浄液下流側締結部
４７        気体導入管
４７２      気体上流側締結部
４８        気体下流側締結部
４８１      貫通孔４８１
４９        第２気体導入管
４９１      第２気体下流側締結部
５          噴射ノズル
５１        吐出口
５２        第１筒状部
５３        絞り部
５４        第２筒状部
５５        第１流路
５６        洗浄液導入口
５７        気体導入口
５８        第２流路
５９        第２気体導入口
６０        合流部
６１        縮流形成口
６２        負圧領域
６３        吐出口側締結部
６３１      貫通孔
６４        気体導入側締結部
６４１      貫通孔
６５        洗浄液導入側締結部
６５１      貫通孔
６６，６６Ａ〜６６Ｆ  締結装置
６７１      軸部
６７２      頭部
６７Ａ，６７Ｂ，６７Ｃ  ボルト
６８Ａ，６８Ｂ，６８Ｃ  ナット
７          洗浄液循環ライン
７１        配管
７２        洗浄液循環ポンプ
７３        分岐部
８          洗浄液供給ライン
８１        洗浄液貯留タンク
８２        配管
９          洗浄液排出ライン
９１        装置
ＣＡ        吐出口の中心軸
ＣＡ２      気体導入口の中心軸
ＣＥ１      第１伸縮管継手の軸線
ＣＥ２      第２伸縮管継手の軸線
Ｇ          気体
ＭＦ        混合流体
【図１】
2020093193.tif 000003
【図２】
2020093193.tif 000004
【図３】
2020093193.tif 000005
【図４】
2020093193.tif 000006
【図５】
2020093193.tif 000007